(57)【要約】【課題】  社寺に参拝できない場合は、祈祷シーンを中継、またはオンデマンドで再生できるブロードバンドを利用したコンテンツ配信システムを提供する。【解決手段】  通信ネットワークを介して利用者の端末と通信するサーバ装置を備え、前記利用者を会員として登録し、管理する会員管理手段と、ログインするための会員認証手段と、サービスシーンのサンプルビデオを見せる護摩木展示手段と、購入した護摩木を決済する護摩木決済手段と、時間帯を指定する護摩木祈祷時間設定手段と、指定した時間帯にアップロードさせるデータストリーミング入力手段と、会員の端末にライブまたはオンデマンドモードで放送するデータストリーミング出力手段を備える。【選択図】  図２
2005301572.tif 000002
【特許請求の範囲】
【請求項１】
通信ネットワークを介して接続された会員の端末と、社寺の端末と、サーバ装置と、を備えた祈祷シーンデリバリーシステムにおいて、社寺は会員が指定した祈祷内容と時間にしたがって祈祷し、その祈祷シーンを前記社寺の端末から前記サーバ装置に送信し、前記サーバ装置は前記祈祷シーンをアップロードし、前記会員の端末で前記祈祷シーンをライブ受信、またはオンデマンド受信で再生できるデータストリーニング処理するデータストリーミング入力手段を備えたことを特徴とする祈祷シーンデリバリーシステム。
【請求項２】
さらに前記データストリーミング入力手段は、前記会員から送信された会員の映像画面を、前記祈祷シーンに挿入すること、または前記祈祷シーンの一部と置き換えることができる画面編集機能を有することを特徴とする請求項１記載の祈祷シーンデリバリーシステム。
【請求項３】
前記サーバ装置は、前記通信ネットワークを介して、前記祈祷シーンデリバリーシステムに入会を要望してきた利用者を会員として登録し、前記利用者に会員として登録したことを認識させる会員認識コードとパスワードを会員認識情報として送達する会員管理手段をさらに備えることを特徴とする請求項１または請求項２に記載の祈祷シーンデリバリーシステム。
【請求項４】
前記会員管理手段は、前記祈祷シーンの受信を契約した会員に対し、アクセスコードを発行することを特徴とする請求項３に記載の祈祷シーンデリバリーシステム。
【請求項５】
前記アクセスコードは、前記祈祷シーンの受信を契約した会員が、前記祈祷シーンを拝観したことを示す拝観終了を入力することにより削除されることを特徴とする請求項４に記載の祈祷シーンデリバリーシステム。
【請求項６】
前記サーバ装置は、前記祈祷シーンデリバリーシステムのログイン時に、前記会員が入力する会員認識コードとパスワードを前記会員管理手段によって正規の会員であることを認証し、前記祈祷シーンデリバリーシステムへの参加を許可する前記会員認証手段をさらに備えることを特徴とする請求項１または請求項２に記載の祈祷シーンデリバリーシステム。
【請求項７】
前記サーバ装置は、前記祈祷シーンデリバリーシステムへの参加を許可された会員に対して、全国の社寺が販売している祈祷札の種類と価格、祈願の内容、祈祷シーンのサンプルビデオを見せる祈祷シーン展示手段をさらに備えることを特徴とする請求項１または請求項２に記載の祈祷シーンデリバリーシステム。
【請求項８】
前記サーバ装置は、購入する祈祷シーンの代金を決済できる祈祷決済手段をさらに備えることを特徴とする請求項１または請求項２に記載の祈祷シーンデリバリーシステム。
【請求項９】
前記サーバ装置は、前記会員が購入した祈祷シーンを要望した社寺で祈祷する時間帯を指定する祈祷時間設定手段をさらに備えることを特徴とする請求項１または請求項２に記載の祈祷シーンデリバリーシステム。
【請求項１０】
前記サーバ装置は、前記会員の端末に前記祈祷シーンをライブまたはオンデマンドモードで放送するデータストリーミング出力手段をさらに備えることを特徴とする請求項１または請求項２に記載の祈祷シーンデリバリーシステム。
【請求項１１】
前記通信ネットワークをインターネットとすることを特徴とする請求項１ないし請求項１０のいずれか１つに記載の祈祷シーンデリバリーシステム。 
【発明の詳細な説明】
【技術分野】
【０００１】
本発明は、全国の寺院、神社の社寺で行われている祈祷を撮影した祈祷シーンを、インターネット等のブロードバンド通信回線を介したコンテツ配信システムを介して、国内外に居住する会員が利用できる有料の祈祷シーンデリバリーシステムに関する。
【背景技術】
【０００２】
古き時代より、我が国において入学祈願などを寺院にお願いする風習は、入学受験シーズンが訪れる度に繰り返されている。また、家内安全祈願、安産祈願、病気回復祈願等も行われている。しかし、信仰する社寺が遠方にあり直接社寺を訪れる場合には、多くの時間と費用が必要であり、このため祈願を断念せざるを得ないことがしばしばあった。
【０００３】
これらの祈願に行けない人に対しては、インターネット通信を利用してお守り、おみくじを配信入手するサービスが提供されている。また、インターネット通信を利用して、社寺、祈願内容を選択し、祈願してもらい、祈願完了報告を受け取るサービスが提供されている。
【０００４】
【特許文献１】特開２００１−３５７１７３号公報
【特許文献２】特開２００２−０６３２６６号公報
【特許文献３】特開２００３−０３０２００号公報
【発明の開示】
【発明が解決しようとする課題】
【０００５】
しかし、上記従来のサービス例においては、配信されたお守りの画像を入手することや、祈祷が完了したとの完了報告を受け取ることができる。がしかし、社寺に出向いて、祈祷に参加したという気分になるには不十分であった。特に、祈祷シーンや、護摩木を焚いて行う護摩シーンにおける臨場感がなく、祈祷に参加したという現実体験感は得られなかった。
【０００６】
本発明の目的は、上記従来の課題を解決し、特に信仰する社寺で行われる祈祷シーンを、利用者は自分の端末でライブ、またはオンデマンドで受信し、祈祷シーンを拝観することで、祈祷に参加したという現実体験感が得られるブロードバンドを利用した祈祷シーンデリバリーシステムを提供することにある。
【課題を解決するための手段】
【０００７】
本願の祈祷シーンデリバリーシステムは、通信ネットワークを介して接続された会員の端末と、社寺の端末と、サーバ装置と、を備え、社寺は会員が指定した祈祷内容と時間にしたがって祈祷し、その祈祷シーンを前記社寺の端末から前記サーバ装置に送信し、前記サーバ装置は前記祈祷シーンをアップロードし、前記会員の端末で前記祈祷シーンをライブ受信、またはオンデマンド受信で再生できるデータストリーニング処理するデータストリーミング入力手段を備えたことを特徴とする。
【０００８】
さらに本願の祈祷シーンデリバリーシステムにおける前記データストリーミング入力手段は、前記会員から送信された会員の映像画面を、前記祈祷シーンに挿入すること、または前記祈祷シーンの一部と置き換えることができる画面編集機能を有することを特徴とする。
【０００９】
本願の祈祷シーンデリバリーシステムにおけるサーバ装置は、前記通信ネットワークを介して、前記祈祷シーンデリバリーシステムに入会を要望してきた利用者を会員として登録し、前記利用者に会員として登録したことを認識させる会員認識コードとパスワードを会員認識情報として送達する会員管理手段をさらに備えることを特徴とする。
【００１０】
本願の祈祷シーンデリバリーシステムにおける会員管理手段は、前記祈祷シーンの受信を契約した会員に対し、アクセスコードを発行することを特徴とする。
【００１１】
本願の祈祷シーンデリバリーシステムにおける前記アクセスコードは、前記祈祷シーンの受信を契約した会員が、前記祈祷シーンを拝観したことを示す拝観終了を入力することにより削除されることを特徴とする。
【００１２】
本願の祈祷シーンデリバリーシステムにおけるサーバ装置は、前記祈祷シーンデリバリーシステムのログイン時に、前記会員が入力する会員認識コードとパスワードを前記会員管理手段によって正規の会員であることを認証し、前記祈祷シーンデリバリーシステムへの参加を許可する前記会員認証手段をさらに備えることを特徴とする。
【００１３】
本願の祈祷シーンデリバリーシステムにおけるサーバ装置は、前記祈祷シーンデリバリーシステムへの参加を許可された会員に対して、全国の社寺が販売している祈祷札の種類と価格、祈願の内容、また祈祷シーンのサンプルビデオを見せる祈祷シーン展示手段をさらに備えることを特徴とする。
【００１４】
本願の祈祷シーンデリバリーシステムにおけるサーバ装置は、購入する祈祷シーンの代金を決済できる祈祷決済手段をさらに備えることを特徴とする。
【００１５】
本願の祈祷シーンデリバリーシステムにおけるサーバ装置は、前記会員が購入した祈祷シーンを要望した社寺で祈祷する時間帯を指定する祈祷時間設定手段をさらに備えることを特徴とする。
【００１６】
本願の祈祷シーンデリバリーシステムにおけるサーバ装置は、前記会員の端末に前記祈祷シーンをライブまたはオンデマンドモードで放送するデータストリーミング出力手段をさらに備えることを特徴とする。
【００１７】
本願の祈祷シーンデリバリーシステムにおける通信ネットワークはインターネットとすることを特徴とする。
【発明の効果】
【００１８】
本発明の祈祷シーンデリバリーシステムによって、特に信仰する社寺で行われる祈祷シーンを、利用者は自分の端末でライブ、またはオンデマンドで受信、拝観することで、祈祷に参加したという現実体験感が得られるブロードバンドを利用した祈祷シーンデリバリーシステムを提供することにある。
【００１９】
たとえば、利用者として入学試験前の受験生が信仰する遠方の社寺の護摩木を焚いて行う入学護摩祈祷を希望したとき、本祈祷シーンデリバリーシステムを利用したときの次の効果が得られる。１）受験生の日程に合わせた時間帯に、入学祈願の護摩木焚きシーンに立ち会える。２）受験生が選択した社寺が遠隔地に所在しても、直接社寺を訪れる必要がないので、多額の費用と受験生にとって重要な時間を節約できる。自宅に居ながらにして、社寺に出向いて祈祷シーンに参加したという擬似現実体験感、満足感が得られることができる。
【発明を実施するための最良の形態】
【００２０】
以下、本発明の祈祷シーンデリバリーシステムについて、図１〜図８を参照して説明する。
【実施例１】
【００２１】
図１は、本発明の実施例による祈祷シーンデリバリーシステムの構成を示すブロック図である。図２は、本発明の実施例のサーバ装置１０の構成を示すブロック図である。図３、図４は、祈祷シーンデリバリーシステムの受付手順を示すフローチャートである。図５は、祈祷シーンデリバリーシステムのライブ中継のフローチャートである。図６は、祈祷シーンデリバリーシステムのオンデマンド（再生中継）のフローチャートである。
【００２２】
図１の構成において、祈祷シーンデリバリーシステムのサーバ装置１０はそれぞれの利用者（または会員）Ａ  ２０，Ｂ  ３０，Ｃ  ４０と、それぞれ撮影手段（カメラ等）を備えた社寺Ａ  ５０，Ｂ  ６０，Ｃ  ７０とをインターネット等のブロードバンド通信回線を介して接続されている。図２のサーバ装置１０は、利用者を祈祷シーンデリバリーシステム会員として登録、管理する会員管理手段１１と、会員がログインする時の会員認証手段１２と、会員にサービスシーンのサンプルビデオ等を展示する祈祷シーン展示手段１３と、会員が取捨選択して決定した祈祷内容に従って祈祷料を決済する祈祷決済手段１４と、会員が要望した社寺で祈願祈祷する時間帯を指定する祈祷時間設定手段１５と、会員が指定した時間帯に合わせて社寺で祈祷され、送信される祈祷シ−ンをアップロードさせるデータストリーミング入力手段１６と、会員の端末に祈祷シーンをライブまたはオンデマンドモードで放送するデータストリーミング出力手段１７と、を備える。
【００２３】
本実施例の祈祷シーンデリバリーシステムにおいては、利用者Ａ  ２０は入会手続きを行い会員Ａ  ２０となる。入会した会員Ａ  ２０はサーバ装置１０から送られるサンプル映像（それぞれの社寺における祈祷シーン、祈祷札、祈祷時間、護摩木等）を見て、社寺と祈祷内容を決め祈願料を決済する。祈祷時間には社寺において祈祷され、その映像が社寺からサーバ装置に送られ、アップロードされる。会員Ａ  ２０はサーバ装置からの映像を自分の端末にて、ライブ中継、またはオンデマンド（再生中継）で見ることができる。ブロードバンドを利用した祈祷シ−ンを再生できる祈祷シーンデリバリーシステムが得られる。また会員が購入した祈祷札は、上記した祈祷に用いられた後、別途社寺から会員に輸送される。
【００２４】
サーバ装置１０の会員管理手段１１は、本実施例の祈祷シーンデリバリーシステムの利用者Ａ  ２０、利用者Ｂ  ３０、利用者Ｃ  ４０の各人をそれぞれ会員Ａ  ２０、または会員Ｂ  ３０、会員Ｃ  ４０として登録し（以下、利用者、会員とも同一符号として表す）、その登録を管理し、会員に会員を認証するための会員固有の認識コードとパスワードから成る会員認証情報を送達する。
【００２５】
会員認証手段１２は、会員Ａ  ２０（以降の説明は会員Ａ２０を実施例として説明する）が会員の端末を使って、本実施例の祈祷シーンデリバリーシステムに会員固有の認識情報を入力してｌｏｇｉｎ（ログイン）してきた場合に、登録済み会員であるかを認証することができる。
【００２６】
祈祷シーン展示手段１３は、会員Ａ  ２０に対して、本実施例の祈祷シーンデリバリーシステム上で、全国の社寺が販売している祈願札の種類と価格及び祈願の内容の説明、及び祈願シーンのサンプルビデオを見せることができる。
【００２７】
祈祷決済手段１４は、会員Ａ  ２０に対して、本実施例の祈祷シーンデリバリーシステム上で、会員Ａ  ２０が取捨選択した社寺Ｂ  ６０（以降の説明は社寺Ｂ  ６０を実施例として説明する）、祈願内容（例えば入学祈願）、祈祷札等の代金を前記会員名義のクレジットカード等で決済することができる。
【００２８】
祈祷時間設定手段１５は、会員Ａ２０が指定した社寺Ｂ  ６０における祈祷時間帯を設定することができる。
【００２９】
指定された社寺Ｂ  ６０においては、指定された時間帯に、要望された入学祈願の祈祷が執り行われ、この祈祷シーンはカメラで撮影され、社寺Ｂ  ６０からサーバ装置１０に送られる。データストリーミング入力手段１６は、送られた祈祷シ−ンをサーバ装置１０にアップロードし、サーバ装置１０内の記憶装置に格納することができる。
【００３０】
データストリーミング出力手段１７は、会員Ａ  ２０に対して、前記会員の端末に祈祷シーンをライブまたはオンデマンドモードで放送することができる。
【００３１】
図３〜図６のフローチャートを使って、本発明の祈祷シーンデリバリーシステムを説明する。利用者Ａ  ２０、利用者Ｂ  ３０、利用者Ｃ  ４０、及び社寺Ａ  ５０，社寺Ｂ  ６０，社寺Ｃ  ７０のそれぞれは独立して通信ネットワークを介してサーバ装置と通信できるために、以下においては単に利用者（または会員）、社寺として記載説明することがある。またＡ，Ｂ，Ｃに限定されるものではなく、その他多数が接続可能である。
【００３２】
本発明の祈祷シーンデリバリーシステムにおいては、まず、システムの利用者は利用者の端末により、通信ネットワークを介してサーバ装置１０にアクセスし、入会手続きを行う（ステップ３０１）。サーバ装置１０の会員管理手段１１は利用者Ａ  ２０を会員Ａ  ２０として登録し、その登録を管理し、会員Ａ  ２０に会員を認証するための会員固有の認識コードとパスワードから成る会員認証情報を、会員Ａ  ２０に送達する（ステップ３０２）。
【００３３】
会員Ａ  ２０は、会員の端末により通信ネットワークを介してサーバ装置１０にアクセスし、祈祷シーンデリバリーシステムシステムへのログイン（ｌｏｇｉｎ）手続きを行う（ステップ３０３）。サーバ装置１０の会員認証手段１２は、会員Ａ  ２０がログイン時に入力した会員固有の認識コードとパスワードから成る会員認証情報を受領し、それぞれに会員認証チェックを行い（ステップ３０４）、祈祷シーンデリバリーシステムシステムへのログインを許可する。
【００３４】
会員Ａ  ２０は、祈祷シーンデリバリーシステムシステムへアクセスし、祈祷シーン展示手段１３に格納されている全国の社寺が販売している祈祷札の種類と価格、祈願の内容、祈祷シーンのサンプルビデオ、祈祷申込画面等を含む祈祷シーン展示画面をリクエストする（ステップ３０５）。サーバ装置１０の祈祷シーン展示手段１３は、会員Ａ  ２０がリクエストした祈祷シーン展示画面情報と、祈祷申込画面とを送達する（ステップ３０６）。
【００３５】
会員Ａ  ２０は、サーバ装置１０から受領した祈祷シーン展示画面から、護摩サービスシーンのサンプルビデオ、祈祷札の種類と価格、祈願の内容を検討する。本実施例では、社寺として社寺Ｂ  ６０，祈願として入学祈願、祈祷方法として護摩、祈祷札としての護摩札、護摩祈祷の時間、映像の受信方法（ライブまたはオンデマンド）、等の祈祷内容を決定し、会員の端末から祈祷申込画面に入力する（ステップ３０７）。
【００３６】
上記祈祷内容の記載された祈祷申込画面の確認依頼がサーバ装置から会員Ａ  ２０の端末に送信される（ステップ３０８）。会員Ａ  ２０は祈祷内容を再確認し、変更あれば変更入力し、祈祷内容を確定させ、祈祷申込画面に確定の入力を行う（ステップ３０９）。
【００３７】
サーバ装置１０の祈祷決済手段１４は、会員Ａ  ２０に対し、会員自身のクレジットカード等による祈祷代金の決済を依頼する（ステップ３１０）。会員Ａ  ２０は、クレジットカードでの決済を承諾し、決済入力する（ステップ３１１）。
【００３８】
決済が終了すると、祈祷申込画面に記載された祈祷内容の情報がサーバ装置１０から社寺Ｂ  ６０に送信され（ステップ３１２）、社寺Ｂ  ６０での確認結果が社寺Ｂ  ６０から送信される（ステップ３１３）。また決済が終了すると、会員Ａ  ２０に対して、新たに祈祷シーンを拝観するためのアクセスコードが発行される（ステップ３１４）。その後、会員Ａ  ２０は祈祷シーンを受信するための受信時間が設定され（ステップ３１５）、サーバ装置１０の祈祷時間設定手段１５では祈祷時間が設定され（ステップ３１６）、社寺Ｂ  ６０では祈祷時間が設定される（ステップ３１７）。ここで、祈祷シーンデリバリーシステムにおける申込が終了する。
【００３９】
次に、上記申込に従って、社寺Ｂ  ６０で行われる入学祈願のための護摩祈祷を受信するフローチャートを図５、図６を用いて説明する。図５はライブでの受信であり、図６はオンデマンドでの受信の場合である。
【００４０】
図５において、ライブで中継を受信する場合のフローチャートを説明する。会員Ａ  ２０は、ステップ３０９で護摩シーンをライブ（中継）でみることを選択確定させた。ここで設定した護摩木を焚く時間前に、再び会員Ａ  ２０は会員の端末から通信ネットワークを介して、祈祷シーンデリバリーシステムシステムのサーバ装置１０へのログイン手続きを行う（ステップ３５１）。
【００４１】
サーバ装置１０の会員管理手段１１と会員認証手段１２とは、再び会員Ａ  ２０がログイン時に入力した会員固有の認識コードとパスワードから成る会員認証情報を受領し、それぞれに会員認証チェックを行い、ログインを許可する（ステップ３５２）。つづいて会員Ａ  ２０は、護摩シーンを受信するためのアクセスコードを入力する（ステップ３５３）、会員認証手段は入力されたアクセスコードを確認し、許可する（ステップ３５４）。会員Ａ  ２０はライブ受信をリクエストし、受信準備が終了する（ステップ３５６）。
【００４２】
一方、社寺Ｂ  ６０においては、指定された時間までに、会員Ａ  ２０から依頼された護摩札に会員Ａ  ２０の氏名を記入する等の護摩祈祷の準備を行う（ステップ３５５）。指定された時間になり護摩祈祷を執り行い、護摩シーンを撮影、サーバ装置１０に送信する（ステップ３５７）。サーバ装置１０では送信された護摩シーンをデータストリーミング入力手段１６に入力され、データストリーミング出力手段１７より会員Ａ  ２０に対して護摩シーンを送信し、また並行してオンデマンド用として記憶装置（図示せず）に蓄える（ステップ３５８）。会員Ａ  ２０は送信された護摩シーンをライブ中継として受信、拝観できる（ステップ３５９）。
【００４３】
社寺Ｂ  ６０は、護摩祈祷が終了すると、護摩シーンの撮影と送信とを終わらせる（ステップ３６０）。また、会員Ａ  ２０の氏名が記入され、護摩祈祷された護摩札が会員宛に発送される（ステップ３６４）。サーバ装置１０のデータストリーミング出力手段１７は護摩シーンの送信を停止する（ステップ３６１）。会員Ａ  ２０は護摩シーンの終了により、拝観終了を入力し（ステップ３６２）、サーバ装置１０に送るとともに、ログアウト手続きを行う（ステップ３６５）。サーバ装置１０は、会員Ａ  ２０からの拝観終了情報により、会員認証手段１２の会員Ａ  ２０のアクセスコードを消滅させ、また、記憶装置の蓄えられた会員Ａ  ２０の護摩シーンを削除する（ステップ３６３）。これでライブにおける祈祷シーンデリバリーシステムのサービスは完了する。
【００４４】
アクセスコードは祈祷シーンを見るためのコードとして発行され、会員が祈祷シーンを完全に見たことによって、拝観終了を確認できた場合にはアクセスコードは抹消され、また記憶装置に蓄積された祈祷シーンは削除される。またライブ中継の途中で、都合悪くなり見られなくなった場合には、拝観終了の確認を入力しないためアクセスコードは有効であり、別途オンデマンドとして祈祷シーンを拝観要求することができる。このためステップ３５８では会員がライブ中継を希望した場合にもオンデマンドのため祈祷シーンを記憶させている。
【００４５】
図６のフローチャートをもちいて、オンデマンドで祈祷シーンを受信する場合を説明する。会員Ａ  ２０は、ステップ３０９で護摩シーンをオンデマンド（再生中継）でみることが選択確定している。ここで設定した護摩木を焚く時間以降に、再び会員Ａ  ２０は会員の端末から通信ネットワークを介して、祈祷シーンデリバリーシステムシステムのサーバ装置１０へのログイン手続きを行う（ステップ４０１）。
【００４６】
サーバ装置１０は、再び会員Ａ  ２０がログイン時に入力した会員固有の認識コードとパスワードから成る会員認証情報を受領し、それぞれに会員認証チェックを行い、ログインを許可する（ステップ４０２）。つづいて会員Ａ  ２０は、護摩シーンを受信するためのアクセスコードを入力する（ステップ４０３）、会員認証手段は入力されたアクセスコードを確認し、許可する（ステップ４０４）。許可された会員Ａ  ２０は護摩シーンをオンデマンドでリクエストする（ステップ４０５）。
【００４７】
サーバ装置１０ではデータストリーミング出力手段１７より会員Ａ  ２０に対してデータストリーミングされた護摩シーンを送信する（ステップ４０６）。会員Ａ  ２０は送信された護摩シーンをオンデマンド（再生中継）として受信し、拝観することができる（ステップ４０７）。
【００４８】
護摩シーンが終わるとサーバ装置１０のデータストリーミング出力手段１７は護摩シーンの送信を停止する（ステップ４０８）。会員Ａ  ２０は護摩シーンの終了により、拝観終了を入力し、サーバ装置１０に送り（ステップ４０９）、また、ログアウト手続きを行う（ステップ４１０）。サーバ装置１０は、会員Ａ  ２０からの拝観終了情報により、会員認証手段１２の会員Ａ  ２０のアクセスコードを消滅させ、また、記憶装置の蓄えられた会員Ａ  ２０の護摩シーンを削除する（ステップ４１１）。また、この護摩祈祷において祈祷された護摩札は別途社寺Ｂから会員に送付されている。これでオンデマンドにおける祈祷シーンデリバリーシステムのサービスは完了する。
【００４９】
本実施例においては、ブロードバンド通信ネットワーク回線を介してサーバ装置と利用者の端末とで護摩シーンを中継、またはオンデマンド（再生中継）で送受信することができる。自宅に居ながらにして、社寺に出向いて祈祷シーンに参加したという祈願体験気分を味わうことができる。
【実施例２】
【００５０】
図７、図８は、本発明の実施例２による祈祷シーンデリバリーシステムのフローチャートである。実施例２においては実施例１に比較して、会員の映像を祈祷シーンの中に取り込むことで、さらに祈祷体験気分を味わうことができる。  実施例２は実施例１の祈祷シーンデリバリーシステムの申込フローチャートであるステップ３０７における祈祷内容の選択において、画像のカスタマイズを行うためステップ２０１〜２０４が追加されている。図７に実施例２の祈祷シーンデリバリーシステムの申込フローチャート、図８にこれらの詳細を示す。フローチャートにおいて実施例１と同じフローにたいしては同一の符号とし、説明を省略する。またシステム構成、サーバ構成は基本的には実施例１と同じである。
【００５１】
図７において、システムの利用者は利用者の端末から、入会手続きを行う（ステップ３０１）。サーバ装置１０の会員管理手段１１は利用者Ａを会員Ａとして登録し、会員認証情報を、会員Ａ  ２０に送達する（ステップ３０２）。会員Ａは、祈祷シーンデリバリーシステムシステムへのログイン（ｌｏｇｉｎ）手続きを行う（ステップ３０３）。サーバ装置１０は、会員認証チェックを行い（ステップ３０４）、祈祷シーンデリバリーシステムシステムへのログインを許可する。会員Ａ  ２０は、祈祷シーン展示手段に格納されている全国の社寺が販売している祈祷札の種類と価格、祈願の内容、祈祷シーンのサンプルビデオ、祈祷申込画面等を含む祈祷シーン展示画面をリクエストする（ステップ３０５）。サーバ装置１０は、リクエストされた祈祷シーン展示画面情報送達する（ステップ３０６）。以上は、図３におけるステップ３０１〜３０６と同じである。
【００５２】
会員は、会員の写真、ビデオ等の映像を準備し（ステップ２０１）、サーバ装置１０から受信した祈祷シーンのカスタマイズ化を行う。カスタマイズは祈祷シーンの中に会員の映像を挿入する画面位置を決定し、会員の映像と挿入位置を送信することで行われる（ステップ２０２）。サーバ装置１０のデータストリーミング入力手段１６は、会員から送られた映像を祈祷シーンの中に挿入しカスタマイズ祈祷シーンを作成し、そのダイジェスト版を、会員に送信する（ステップ２０３）。会員はこのダイジェスト版をみて、満足していれば次のステップ３０７へ、不満足であれば再度ステップ３０５に戻りカスタマイズを行う（ステップ２０４）。満足できるまでカスタマイズ化を繰り返す。ステップ３０７以降のフロー、及び祈祷シーンの拝観するフロー（図５、図６）は実施例１と同じであり説明を省略する。
【００５３】
図８を使って、さらにステップ２０１〜２０４を詳述する。サーバ装置１０の祈祷シーン展示手段１３に蓄えられている祈祷シーン（安全祈祷シーンＭ１    〜Ｍ３、入学祈祷シーンＮ１〜Ｎ３等々）から、祈祷シーンを選択する。たとえば、会員が入学祈祷シーンのＮ２（護摩祈祷シーン）を選択し、この入学護摩祈祷シーンの途中に、会員の映像を挿入させる位置を検討する。会員の映像を挿入する画面位置が決まったら、映像と挿入位置をサーバ装置に送信する（ステップ２０２）。
【００５４】
サーバ装置１０のデータストリーミング入力手段１６は、会員から送られた映像を護摩祈祷シーンの中に挿入しカスタマイズされたカスタマイズ祈祷シーンを作成する。ここで実施例２のデータストリーミング入力手段１６はカスタマイズのための画面編集機能を有する。さらに、カスタマイズ祈祷シーンのダイジェスト版を作成し、会員にダイジェスト版を送信する（ステップ２０３）。会員はこのダイジェスト版をみて、満足していれば次のステップ３０７へ、不満足であれば再度ステップ３０５に戻りカスタマイズを行う（ステップ２０４）。会員は満足できる祈祷シーンが得られるまでカスタマイズ化を繰り返し、満足できる祈祷シーンが得られれば次のステップ３０７へ進み、以下、実施例１と同じフローで祈祷シーンデリバリーシステムのサービスを受ける。
【００５５】
カスタマイズ化は、会員から送られた映像を護摩祈祷シーンの中に挿入しカスタマイズ祈祷シーンを作成してもよく、本来の祈祷シーンの一部をカットし、会員の映像に置き換えることでカスタマイズ祈祷シーンを作成することも可能である。
【００５６】
本実施例においては、祈祷シーンに会員の映像を取り込みカスタマイズ祈祷シーンとし、ブロードバンド通信ネットワーク回線を介してサーバ装置と利用者の端末とでカスタマイズ祈祷シーンを中継、またはオンデマンド（再生中継）で送受信することができる。祈祷シーンに会員の映像を取り込むことで祈祷シーンに参加した祈祷体験感が高まり、会員は祈祷したという安堵感、満足感が高まる。このように自宅に居ながらにして、社寺に出向いて祈祷シーンに参加したという祈願体験気分を味わうことが可能となる。
【００５７】
本発明によれば、ブロードバンド通信ネットワーク回線を介してサーバ装置と利用者の端末とで祈祷シーンを中継、またはオンデマンド（再生中継）で送受信することができる。また、祈祷シーンで出てくる会員名が記載された祈祷札が社寺から送られることで祈祷シーンに参加した祈祷体験感が高まり、会員は祈祷したという安堵感、満足感が高まる。このように自宅に居ながらにして、社寺に出向いて祈祷シーンに参加したという祈願体験気分を味わうことが可能となる。
【００５８】
以上本願発明を実施例に基づき具体的に説明したが、本願発明は前記実施例に限定されるものではなく、その要旨を逸脱しない範囲で種々変更可能であることはいうまでもない。
【図面の簡単な説明】
【００５９】
【図１】本発明の実施例における構成ブロック図である。
【図２】本発明の実施例におけるサーバ装置の構成ブロック図である。
【図３】本発明の実施例１の申込におけるフローチャートである。
【図４】本発明の実施例１，２の申込におけるフローチャートである。
【図５】本発明の実施例のライブ中継におけるフローチャートである。
【図６】本発明の実施例オンデマンド中継におけるフローチャートである。
【図７】本発明の実施例２の申込におけるフローチャートである。
【図８】図７の詳細図である。
【符号の説明】
【００６０】
１０  サーバ装置
２０  利用者（または会員）Ａ
３０  利用者（または会員）Ｂ
４０  利用者（または会員）Ｃ
５０  社寺Ａ
６０  社寺Ｂ
７０  社寺Ｃ
１１  会員管理手段
１２  会員認証手段
１３  祈祷シーン展示手段
１４  祈祷決済手段
１５  祈祷時間設定手段
１６  データストリーミング入力手段
１７  データストリーミング出力手段
【図１】
2005301572.tif 000003
【図２】
2005301572.tif 000004
【図３】
2005301572.tif 000005
【図４】
2005301572.tif 000006
【図５】
2005301572.tif 000007
【図６】
2005301572.tif 000008
【図７】
2005301572.tif 000009
【図８】
2005301572.tif 000010